(57)【特許請求の範囲】
【請求項１】
ボディアウタパネルとボディインナパネルとによって構成される車体部分に取付けられる内装トリムにその一部を前記内装トリムの一般面から車室外側へ引っ込ませて凹形状の物品収納部を形成し、前記内装トリムを前記ボディインナパネルに取付けるようにした内装トリムの物品収納部構造において、
前記物品収納部を、一般面よりも車室外側へ引っ込ませて成る奥壁と、該奥壁の両側部及び上側部に連設された周壁と、これら奥壁及び周壁の下側部に連設された底壁と、前記奥壁に対して所定の間隔を隔てて対向する物品保持板とで形成し、
前記内装トリムの物品収納部の奥壁に車室内側へ向けて突出する突出部を屈曲形成し、
該突出部を、その車室内側の先端部と前記物品保持板との間の領域も前記物品収納部の一部の空間として活用できるように前記突出部の先端部が前記物品収納部の物品保持板に到達しておらず、前記突出部の裏側の内部に前記ボディアウタパネルに部品を取付ける取付ボルトの一部を収容し得るように構成し、
前記ボディアウタパネルに部品を取付ける前記取付ボルトの一部を前記突出部の裏側の内部に入り込ませた状態で配置したことを特徴とする内装トリムの物品収納部構造。
【請求項２】
前記内装トリムが、車両後部の荷室の左右に配設されるクオータトリムであり、前記ボディアウタパネルに取付ける部品が、車両側部に配設されたスライドドアを案内するセンターレールであり、前記突出部の裏側に入り込ませた状態で配置される前記取付ボルトの一部が、前記センターレールを前記車両側部に取付けるための取付ボルトの先端部分であることを特徴とする請求項１に記載の内装トリムの物品収納部構造。
【請求項３】
前記物品収納部の奥壁に形成される前記突出部を、前記物品収納部の車両前後方向の中間箇所であってかつ車両上下方向に沿って配置するとともに、前記物品収納部の底壁にまで達するように形成し、前記物品収納部の突出部を介して前記奥壁と前記底壁とを互いに連結したことを特徴とする請求項１又は２に記載の内装トリムの物品収納部構造。
【請求項４】
前記物品収納部の奥壁の下側部分を、その上側部分と比較して、前記ボディアウタパネルの側に向けて相対的に大きく延出する膨出部としたことを特徴とする請求項１乃至３の何れか１項に記載の内装トリムの収納部構造。
【発明の詳細な説明】
【技術分野】
【０００１】
本発明は、車両における内装トリムの物品収納部構造に関し、さらに詳しくは、ボディアウタパネルとボディインナパネルとによって構成される車体部分に取付けられる内装トリムに物品収納部を形成し、ボディアウタパネルとボディインナパネルとの間の内部空間に内装トリムの物品収納部を入り込ませた状態で内装トリムをインナパネルに取付けるようにした内装トリムの物品収納部構造に関する。
【背景技術】
【０００２】
自動車には、後方側の側部に配置されたサイドドアを車体のアウタパネル（ボディアウタパネル）に沿って車両前後方向にスライドさせて開閉するようにした型式のものがある。図７は、この種の型式の自動車の車体の後方側部を示すものであって、同図において、１はボディアウタパネル２とボディインナパネル３とを閉断面形状に接合して成る車体、４は車体１の側部後方箇所において車両前後方向に沿って延びるように配置されたスライドドア案内用のセンターレール（図１参照）、５は車体１の内面に対向して配設された内装トリム（クオータトリム）、６は内装トリム５に物品収納部（ポケット部）７を形成するためにこの内装トリム５に取付けられた物品保持板、８はフロアパネルである。
【０００３】
上述のセンターレール４は、ボディインナパネル３の側に向けて凹形状に屈曲されたボディアウタパネル２の溝部２ａの中に収容配置され、センターレール４に固着されたボルト９にナット１０を螺着することによって、センターレール４がボディアウタパネル２とボディインナパネル３との接合部αに取付けられている。なお、センターレール４をボディアウタパネル２の溝部２ａの中に設置してボディアウタパネル２とボディインナパネル３との間の内部空間Ｓ内に入り込むように配置しているのは、車体１の意匠面（車体１の外面を構成するボディアウタパネル３の面）からセンターレール４が突出しないようにするためである。
【０００４】
このような構成の自動車にあっては、上述の如きセンターレール４の取付構造上、図  ７に示すように、取付ボルト９及びナット１０が存在し、取付ボルト９及びナット１０による締結部の先端位置βに依存して内装トリム５の物品収納部７のポケット奥行きＤが決められている。すなわち、ポケット奥行きＤは、図７に示す如く、ボディアウタパネル２及びボディインナパネル３の接合部αから車室内側に突出している取付ボルト９及びナット１０の締結部の先端位置βと、物品支持壁６の内面γとの間の領域に定められる（例えば、実公昭６４−７０８５号参照）。
【特許文献１】実公昭６４−７０８５号公報
【発明の開示】
【発明が解決しようとする課題】
【０００５】
上述の如き従来の物品収納部構造にあっては、内装トリム５の物品収納部７の容量を確保すべくポケット奥行きＤを充分に大きく確保するためには、物品保持板６と、この物品保持板６に車体左右方向において対向するボディインナパネル若しくは内装トリム（何れも図示せず）との間の荷室幅Ｗ（図７参照）を狭くする必要がある。しかしながら、荷室幅Ｗを狭くすると、荷物収納空間の容量が狭くなってしまうといった不具合を生じることとなる。
【０００６】
本発明は、このような実状に鑑みてなされたものであって、その目的は、ボディアウタパネルに取付けられる取付ボルトやナットなどの部品の一部と内装トリムの物品収納部の奥壁との間の干渉を回避することができ、荷室幅を狭くして物品収納部のポケット奥行きを大きくするような構成にしなくても、十分な大きさの物品収納空間を確保することができるような内装トリムの物品収納部構造を提供することにある。
【課題を解決するための手段】
【０００７】
上述の目的を達成するために、本発明では、ボディアウタパネルとボディインナパネルとによって構成される車体部分に取付けられる内装トリムにその一部を前記内装トリムの一般面から車室外側へ引っ込ませて凹形状の物品収納部を形成し、前記内装トリムを前記ボディインナパネルに取付けるようにした内装トリムの物品収納部構造において、前記物品収納部を、一般面よりも車室外側へ引っ込ませて成る奥壁と、該奥壁の両側部及び上側部に連設された周壁と、これら奥壁及び周壁の下側部に連設された底壁と、前記奥壁に対して所定の間隔を隔てて対向する物品保持板とで形成し、前記内装トリムの物品収納部の奥壁に車室内側へ向けて突出する突出部を屈曲形成し、該突出部を、その車室内側の先端部と前記物品保持板との間の領域も前記物品収納部の一部の空間として活用できるように前記突出部の先端部が前記物品収納部の物品保持板に到達しておらず、前記突出部の裏側の内部に前記ボディアウタパネルに部品を取付ける取付ボルトの一部を収容し得るように構成し、前記ボディアウタパネルに部品を取付ける前記取付ボルトの一部を前記突出部の裏側の内部に入り込ませた状態で配置するようにしている。
また、本発明では、前記内装トリムが、車両後部の荷室の左右に配設されるクオータトリムであり、前記ボディアウタパネルに取付ける部品が、車両側部に配設されたスライドドアを案内するセンターレールであり、前記突出部の裏側に入り込ませた状態で配置される前記取付ボルトの一部が、前記センターレールを前記車両側部に取付けるための取付ボルトの先端部分であるようにしている。
また、本発明では、前記物品収納部の奥壁に形成される前記突出部を、前記物品収納部の車両前後方向の中間箇所であってかつ車両上下方向に沿って配置するとともに、前記物品収納部の底壁にまで達するように形成し、前記物品収納部の突出部を介して前記奥壁と前記底壁とを互いに連結するようにしている。
また、本発明では、前記物品収納部の奥壁の下側部分を、その上側部分と比較して、前記ボディアウタパネルの側に向けて相対的に大きく延出する膨出部としている。
【発明の効果】
【０００８】
請求項１に記載の本発明は、前記物品収納部を、一般面よりも車室外側へ引っ込ませて成る奥壁と、該奥壁の両側部及び上側部に連設された周壁と、これら奥壁及び周壁の下側部に連設された底壁と、前記奥壁に対して所定の間隔を隔てて対向する物品保持板とで形成し、前記内装トリムの物品収納部の奥壁に車室内側へ向けて突出する突出部を屈曲形成し、該突出部を、その車室内側の先端部と前記物品保持板との間の領域も前記物品収納部の一部の空間として活用できるように前記突出部の先端部が前記物品収納部の物品保持板に到達しておらず、前記突出部の裏側の内部に前記ボディアウタパネルに部品を取付ける取付ボルトの一部を収容し得るように構成し、前記ボディアウタパネルに部品を取付ける前記取付ボルトの一部を前記突出部の裏側の内部に入り込ませた状態で配置するようにしたものであるから、上述の突出部を設けることにより、物品収納部の奥壁とボディアウタパネルに取付けられた部品との干渉を回避することができ、部品の車室内側端部位置よりも奥に物品収納部の奥壁を設定（配置）できるので、物品収納部の容量（物品収納空間）を大きく確保することが可能となる。従って、本発明によれば、荷室幅を狭くして物品収納部のポケット奥行きを大きくするような構成にしなくとも、十分な大きさの物品収納空間を確保することができる。さらに、物品収納部の奥壁に突出部を設けることによって、物品収納部の奥壁の剛性を向上させることができる。
【０００９】
また、請求項２に記載の本発明は、内装トリムが、車両後部の荷室の左右に配設されるクオータトリムであり、ボディアウタパネルに取付ける部品が、車両側部に配設されたスライドドアを案内するセンターレールであり、突出部の裏側に入り込ませた状態で配置される取付ボルトの一部が、センターレールを車両側部に取付けるための取付ボルトの先端部分であるようにしたものであるから、次のような作用効果を奏することができる。すなわち、スライドドア案内用のセンターレールは、通常、車両の意匠面からあまり突出しないようにボディアウタパネルに取付ける必要があるため、ボディアウタパネルのセンターレールが位置する部分は、他の意匠面と比較して、センターレールの分だけボディアウタパネルが車室内側に位置することになり、センターレールが取付けられるボディアウタパネル部分が、ボディアウタパネルとボディインナパネルにて形成される内部空間に入り込むこととなる。そして、センターレールをボディアウタパネルに取付ける取付ボルトは、センターレールよりも車室内側の位置に配置されることとなって、ボディアウタパネルとボディインナパネルにて形成される内部空間にさらに突出してしまう。このように、センターレールが取付けられるボディアウタパネル部分は、物品収納部の裏側の箇所において車室内側に突出してしまい、取付ボルト及びナットの締結部の先端部分が物品収納部の奥壁の位置規制部となってしまうが、本発明のようにその奥壁に突出部を設けてこの突出部の裏側に取付ボルト及びナットの締結部を入り込ませて配置する構成を採ることによって、上述の突出部を除く奥壁部分を取付ボルトより車室外方に配置することができ、ひいては物品収納部の容積を大きく確保することが可能となる。
【００１０】
また、請求項３に記載の本発明は、前記物品収納部の奥壁に形成される前記突出部を、前記物品収納部の車両前後方向の中間箇所であってかつ車両上下方向に沿って配置するとともに、前記物品収納部の底壁にまで達するように形成し、前記物品収納部の突出部を介して前記奥壁と前記底壁とを互いに連結するようにしたものであるから、物品収納部の剛性の向上を図ることができる。しかも、物品収納部に設けた突出部が物品収納部の間仕切り部としての役目を果たし得るため、物品収納部内に収納された物品（収納物）の姿勢を突出部による位置保持作用にて安定にすることができる。
【００１１】
また、請求項４に記載の本発明は、物品収納部の奥壁の下側部分を、その上側部分と比較して、ボディアウタパネルの側に向けて相対的に大きく延出する膨出部としたものであるから、物品収納部の奥壁の下側部分をその上側部分よりも大きな膨出部としたことに伴い、奥壁の下側部分を奥壁の上側部分よりもボディアウタパネルの側（車室外方の側）に配置し得て、その分だけ物品収納部の容量（物品収納空間）を大きくすることができる。さらに、物品収納部の容量の増大により、物品収納部からの物品の取り出しが容易となると共に、物品収納部の底壁上の空間部分が広くなるのに伴って、特にペットボトルのような高さのある物品などを取り出し易くなる。
【発明を実施するための最良の形態】
【００１２】
以下、本発明の一実施形態に係る内装トリムの物品収納部構造について図１〜図６を参照して説明する。なお、図１〜図６において図７と同様の部分には同一の符号を付して重複する説明を省略する。
【００１３】
図１は、本発明の一実施形態に係る内装トリムの物品収納部構造を備えた自動車２０を示すものであって、この自動車２０は、車体側部にスライドドア２１を有している。そして、このスライドドア２１は、ボディアウタパネル２の後部において車両前後方向に沿って延びる溝部２ａの内部に配置されたセンターレール４によって案内されて開閉されるようになっている。なお、センターレール４は、図３及び図４に示すように、ボディアウタパネル２及びボディインナパネル３の接合部αに取付ボルト９及びナット１０によって取付けられている。
【００１４】
一方、センターレール４に対応している車体１のボディインナパネル３の車室内側の箇所には、内装トリムとしてのクオータトリム２２が取付けられており、このクオータトリム２２に物品収納部２３が設けられている。なお、物品収納部２３は、図２及び図３に示す如く、クオータトリム２２の一部をクオータトリム２２の一般面Ｈ（図２参照）から車室外側へ引っ込ませて成る奥壁２４と、この奥壁２４の両側部及び上側部に連設された周壁２５と、奥壁２４及び周壁２５の下側部に連設された底壁２６と、奥壁２４に対して所定の間隔を隔てて対向するように底壁２６上に取付けられた物品保持板２７とで形成された物品収納用のポケット部である。なお、説明の便宜上、図２、図５及び図６では、物品保持板２７を透過状態で描いてある。かくして、ボディアウタパネル２とボディインナパネル３とによって構成される車体１に取付けられるクオータトリム２２に物品収納部２３が形成されており、ボディアウタパネル２とボディインナパネル３とにより囲まれた内部空間Ｓ内に物品収納部２３の奥壁２４が入り込んだ状態でクオータトリム２２がボディインナパネル３に取付けられている。なお、物品収納部２３の奥壁２４を内部空間Ｓ内に入り込ませて配置するのは、物品収納部（ポケット部）２３の容量をできるだけ大きくするためである。
【００１５】
また、上述の物品収納部２３の奥壁２４には、図２，図３及び図４に示すように、車両前後方向の中間箇所（中央部よりもやや車両前方側の箇所）であってかつ車両上下方向の中間箇所から底壁２６に至る領域に、前記奥壁２４から車室内側に向けて突出する突出部２８が一体的に屈曲形成されている。
【００１６】
ここで、突出部２８について述べると、次の通りである。まず、物品収納部２３の奥壁２４に屈曲形成される突出部２８は、クオータトリム２２を樹脂成型する際にクオータトリム２２に一体成形されるものであって、図４に示す如く水平断面がＵ字形状となされている。そして、センターレール４をボディアウタパネル２に取付けるための取付ボルト９及びナット１０の締結部の先端部分βをその内部に収容し得るように設定されている。すなわち、物品収納部２３に突出部２８を設けることによって、物品収納部２３の奥壁２４がセンターレール取付用の取付ボルト９及びナット１０の締結部の先端部分βをよけた（回避した）状態で配置され、突出部２８の裏側に取付ボルト９及びナット１０の締結部の先端部分を収容配置し得るように構成されている。そして、この突出部２８は、物品収納部２３の底壁２６にまで達するように形成されている。
【００１７】
さらに、物品収納部２３の奥壁２４は、その下側部分２４ａが、その上側部分２４ｂ（図２に示すようにクオータトリム２２の一般面Ｈに対して車室外側に凹形状に引っ込んでいる）と比較して、ボディアウタパネル２の側に向けて相対的に大きく延出する膨出部となされている。具体的には、奥壁２４のうちセンターレール４よりも下側となる下側部分２４ａが、図３に示す如くセンターレール４を避けるように車体１の側に奥壁２４の上側部分２４ｂよりもさらに深く造形されており、溝部２ａの下方にまで入り込んで収納容積を拡大している。また、これらの上側部分２４ａと下側部分２４ｂとの間には傾斜状段差部２４ｃが設けられている。なお、この傾斜状段差部２４ｃ及びその付近の形状は、例えば図５に示す如きペットボトル２９の取出しが容易であるような形状となされている。そして、突出部２８は、上述の段差部２４ｃを上下に跨いで形成されており、突出部２８の頂部Ｐ（図２及び図３参照）が物品収納部２３の奥壁２４に対向する物品保持板６にまで達することなく、前記頂部Ｐと物品保持板６との間の領域が相対的に幅狭のポケット奥行き仕切り部となされている。
【００１８】
かくして、図３に示すように、荷室幅Ｗが設定されると共に、物品保持板６と奥壁２４の上側部分２４ｂとの間に奥行き幅Ｄ1を有するポケット奥行き一般部（例えば、図５に示す１本のペットボトル２９をたてて置くのに適した幅）が設けられ、物品保持部６と奥壁２４の下側部分２４ａとの間に奥行き幅Ｄ2を有するポケット奥行き根元部（例えば、図５に示す１本のペットボトル２９を傾けて取り出すのに適した幅）が設けられ、かつ、物品保持板６と突出部２８の頂部Ｐとの間に奥行き幅Ｄ3（例えば、図６に示す１個のティッシュペーパーボックス３０を押さえるのに適した幅）を有するポケット奥行き仕切り部が設けられている。
【００１９】
また、物品収納部２３に収納された物品の姿勢保持性と、物品収納部２３への物品の出し入れなどに際して使い勝手が良いように、物品収納部２３の物品保持板６の上端位置は、奥壁２４の下側部分（膨出部）２４ａの上部とほぼ同等の高さに設定されている。
【００２０】
このような構成の物品収納部構造によれば、次のような作用効果を奏することができる。まず、図２〜図４に示すように物品収納部２３の奥壁２４に上下に長い仕切り形状の突出部２８を設けてこの突出部２８の裏側にセンターレール取付用の取付ボルト９及びナット１０を配置することにより、奥壁２４と取付ボルト９及びナット１０の締結部の先端部分との間の干渉を回避することができ、奥壁２４をよりボディアウタパネル２側に設定して収納部２３の容積を拡大することが可能となる。さらに、ポケット奥行き一般部の奥行き幅Ｄ1よりも大きな奥行き幅Ｄ2を有するポケット奥行き根元部を形成して物品収納部２３の容量をより大きく確保することができる。すなわち、物品収納部２３の奥壁２４の下側部分２４ａ（すなわち、上側部分２４ａよりも大きな膨出部）は、センターレール４の下側まで入り込んで配置されるため、その入り込んだ分だけ物品収納部２３の容量を増やすことができる。また、奥行き幅Ｄ2のポケット奥行き根元部はセンターレール４を避け、さらに深く造形されているので、ペットボトル２９などの取出しを容易にする形状を確保しつつ荷室幅Ｗを従来の場合以上の幅に設定することが可能である。
【００２１】
さらに詳述すると、物品収納部２３の容量を確保するためには、物品収納部２３の奥壁２４を車室外側に向けて奥方向に入り込ませた構成にする必要があり、その場合には、前記奥壁２４がボディアウタパネル２の側に近づくこととなり、ボディアウタパネル２の形状によって制約を受ける。特に、ボディアウタパネル２に取付ボルト９やナット１０などの部品が取付けられると、その部品の取付けのための取付ボルト９などが車室内側に突出することとなり、この突出箇所との間に干渉を生じ、物品収納部２３の奥壁２４の配設位置に制約を受けることとなる。しかし、本実施形態の物品収納部構造によれば、スライドドア案内用のセンターレールの取付ボルト９及びナット１０による締結部の先端部分βが、この先端部分βをよけるように形成された突出部２８の裏側（内部）に収容されるため奥壁２４の配設位置が先端部分βの制約を受けることなく設定可能となり、物品収納部２３の容量をより大きく確保することができる。従って、荷室幅Ｗを狭くして物品収納部のポケット奥行きを大きくするような構成としなくても、十分な大きさの物品収納空間を確保することができることとなる。
【００２２】
また、物品収納部２３の奥壁２４には仕切り形状部として役立つ突出部２８を設けると共に、前記奥壁２４の下側部分２４ａと上側部分２４ｂとを傾斜状段差部２４ｃによる段差をつけて配置するようにしているので、種類（形状）の異なる物品を適宜に収納することが可能である。具体的には、突出部２８が物品収納部２３の物品保持板６に到達しておらず、突出部２８の車室内側の先端部と物品保持板６との間の領域も物品収納部２３の一部の空間として活用できるため、物品収納部２３内の収納空間が分断されず、従って図６に示すように１個のティッシュペーパーボックス３０のような大きな物品も物品保持板６と突出部２８との間に挟み込んで収納できる。また、物品収納部２３の物品保持板６と奥壁４の間の間隔、並びに、物品収納部２３の物品保持板６と突出部２８との間の間隔が異なることになるので、これらの間隔を有する部分を、収納すべき物品（収納物）の大きさによって使い分け、例えば図５に示す如き２本の５００ｍｌペットボトル２９を並べて安定状態で収納できる。
【００２３】
また、奥壁２４の突出部２８は、比較的に車室内側の奥壁２４の上部部分２４ｂとそれよりも奥側（車室外側）となる奥壁２４の下側部分（膨出部）２４ａとに跨って形成されているため、物品収納部２３の剛性の向上を図ることができる。特に長尺な物品収納部２３の場合には、車両前後方向に沿った奥壁２４の上側部分２４ｂと下側部分（膨出部）２４ａの繋ぎ部分である傾斜状段差部２４ｃの形状効果と、その傾斜状段差部２４ｃに交差する位置に形成された突出部２８による形状効果とが相俟って、物品収納部２３の剛性を向上させることができる。
【００２４】
また、上述の突出部２８は、物品収納部２３の車両前後方向の中央部でなく、その中央部よりもやや車両前方側に配置するようにしているので、車両の後部のドアを開けて車室外部から比較的大きな物品を物品収納部２３に収納する動作を行い易く、一方、ペットボトル２９などの小物類については後部座席の乗員が後部座席から手を伸ばして取り出し易い。
【００２５】
以上、本発明の一実施形態について述べたが、本発明はこの実施形態に限定されるものではなく、本発明の技術的思想に基づいて各種の変形及び変更が可能である。例えば、物品収納部２３の奥壁２４の上側部分２４ｂも下側部分２４ａと同様にセンターレール４を避けるようにして深く追い込んだ位置に配置するようにしてもよい。また、物品収納部２３の奥壁２４の設けられる突出部２８の形状は、断面Ｕ字形状に限らず、必要に応じて適宜な断面形状にしてよい。また、本発明は、センターレール４に対応して配設されるクオータトリム２２の物品収納部２３の構造に限らず、各種の部品に対応して配設される各種の内装トリムにおける物品収納部の構造にも適用し得ることは言う迄もない。
【図面の簡単な説明】
【００２６】
【図１】本発明の一実施形態に係る内装トリムの物品収納部構造を備えた自動車の斜視図である。
【図２】センターレールに対応して配置されるクオータトリムを車室内側から見た斜視図である。
【図３】図２におけるＡ−Ａ線拡大断面図である。
【図４】図２におけるＢ−Ｂ線拡大断面図である。
【図５】物品収納部に２本のペットボトルを収納した状態を示す斜視図である。
【図６】物品収納部に１個のティッシュペーパーボックスを収納した状態を示す斜視図である。
【図７】従来における内装トリムの物品収納部構造を示す図３と同様の断面図である。
【符号の説明】
【００２７】
１  車体
２  ボディアウタパネル
３  ボディインナパネル
４  センターレール
９  取付ボルト
１０  ナット
２０  自動車
２１  スライドドア
２２  クオータトリム（内装トリム）
２３  物品収納部
２４  奥壁
２４ａ  下側部分（膨出部）
２４ｂ  上側部分
２４ｃ  傾斜状段差部
２５  周壁
２６  底壁
２７  物品保持版
２８  突出部
２９  ペットボトル
３０  ティッシュペーパーボックス
β  先端部分
Ｐ  頂部
Ｓ  内部空間
【図１】
0004697592.tif 000002
【図２】
0004697592.tif 000003
【図３】
0004697592.tif 000004
【図４】
0004697592.tif 000005
【図５】
0004697592.tif 000006
【図６】
0004697592.tif 000007
【図７】
0004697592.tif 000008